(57)【要約】【課題】安定した電気的性能を得ることができ、且つ、低背化されたコネクタを提供すること。【解決手段】  コネクタ１００のグランド部材２００は、上下方向において離間するよう配置された上側平板部２１０及び下側平板部２２０と、上側平板部２１０と下側平板部２２０とを連結する連結部２３０と、回路基板に固定される被固定脚部２４０と、被固定脚部２４０と下側平板部２２０とを接続する延長部２５０とを有している。延長部２５０は、下側平板部２２０から所定面内に延びており、被固定脚部２４０は、延長部２５０から上下方向において下方に延びている。【選択図】図２
2017091774.tif 000002
【特許請求の範囲】
【請求項１】
回路基板上に搭載されると共に相手側コネクタと前後方向に沿って嵌合可能なコネクタであって、
前記コネクタは、グランド部材と、保持部材と、複数のコンタクトと、ミッドプレートとを備えており、
前記相手側コネクタは、複数の相手側コンタクトを有しており、
前記グランド部材は、前記前後方向と直交する上下方向において離間するよう配置された上側平板部及び下側平板部と、前記上側平板部と前記下側平板部とを連結する連結部と、前記回路基板に固定される被固定脚部と、前記被固定脚部と前記下側平板部とを接続する延長部とを有しており、
前記上側平板部及び前記下側平板部の夫々は、前記上下方向と交差する所定面内に延びており、
前記延長部は、前記下側平板部から前記所定面内に延びており、
前記被固定脚部は、前記延長部から前記上下方向において下方に延びており、
前記保持部材は、前記上下方向において前記上側平板部と前記下側平板部とに挟まれる保持部と、前記前後方向において前記保持部から前方に延びる嵌合部とを有しており、
前記嵌合部は、前記前後方向において前記上側平板部及び前記下側平板部よりも前方に位置しており、
前記複数のコンタクトは、２列のコンタクト列を構成しており、
前記コンタクト列の夫々を構成する前記コンタクトは、前記前後方向及び前記上下方向の双方と直交するピッチ方向に並んでおり、
前記コンタクトの夫々は、前記保持部に保持される被保持部と、前記嵌合部の上面又は下面において外部に露出している接触部とを有しており、
前記コンタクトの前記接触部は、前記コネクタが前記相手側コネクタと嵌合した状態において、前記相手側コネクタの前記相手側コンタクトと夫々接触するものであり、
前記ミッドプレートは、前記上下方向において前記コンタクト列の間に位置するように、前記保持部材に保持されている
コネクタ。
【請求項２】
請求項１記載のコネクタであって、
前記延長部は、前記下側平板部から後方に延びている
コネクタ。
【請求項３】
請求項１又は請求項２記載のコネクタであって、
前記連結部は、前記上側平板部の後端と前記下側平板部の後端とを連結している
コネクタ。
【請求項４】
請求項３記載のコネクタであって、
前記延長部は、前記連結部の一部である
コネクタ。
【請求項５】
請求項１乃至請求項４のいずれかに記載のコネクタであって、
前記グランド部材は、上側圧入部と下側圧入部とを更に有しており、
前記上側圧入部は、前記上側平板部から後方に延びており、
前記下側圧入部は、前記下側平板部から後方に延びており、
前記保持部材には、上側圧入溝及び下側圧入溝が形成されており、
前記上側圧入部は、前記上側圧入溝に受容されており、
前記下側圧入部は、前記下側圧入溝に受容されている
コネクタ。
【請求項６】
請求項５記載のコネクタであって、
前記上側圧入部は、前記上側平板部から後方に延びる板状の上側主部と、上側係止突起と、上側隆起部とを有しており、
前記上側係止突起は、前記上側主部から前記ピッチ方向に突出しており、
前記上側隆起部は、前記上側主部から前記上下方向において上側に隆起しており、
前記下側圧入部は、前記下側平板部から後方に延びる板状の下側主部と、下側係止突起と、下側隆起部とを有しており、
前記下側係止突起は、前記下側主部から前記ピッチ方向に突出しており、
前記下側隆起部は、前記下側主部から前記上下方向において下側に隆起している
コネクタ。
【請求項７】
請求項５又は請求項６記載のコネクタであって、
前記上側圧入部及び前記下側圧入部の夫々は、前記ピッチ方向において、前記コンタクト列の両端に配置される前記コンタクトよりも内側に配置されている
コネクタ。
【請求項８】
請求項１乃至請求項７のいずれかに記載のコネクタであって、
前記グランド部材は、補助圧入部を更に有しており、
前記補助圧入部は、前記前後方向において前記連結部から後方に延びており、
前記補助圧入部には、前記前後方向と直交する方向に突出した補助係止突起が設けられており、
前記保持部材には、補助圧入溝が形成されており、
前記補助圧入部は、前記補助圧入溝に受容されている
コネクタ。
【請求項９】
請求項１乃至請求項８のいずれかに記載のコネクタであって、
前記グランド部材は、一部品で構成されている
コネクタ。
【請求項１０】
請求項１乃至請求項９のいずれかに記載のコネクタであって、
前記グランド部材の前記連結部は、前記前後方向と直交する方向において前記保持部材の外周よりも内側に位置している
コネクタ。
【請求項１１】
請求項１乃至請求項１０のいずれかに記載のコネクタと、回路基板とを備えたコネクタ組立体であって、
前記回路基板には、１つのスルーホールが形成されており、
前記ミッドプレートは、ミッドプレート用脚部を有しており、
前記ミッドプレート用脚部と前記被固定脚部とは、前記１つのスルーホールに固定されている
コネクタ組立体。
【発明の詳細な説明】
【技術分野】
【０００１】
本発明は、回路基板上に搭載されると共に相手側コネクタと嵌合可能なコネクタ及びコネクタ組立体に関する。
【背景技術】
【０００２】
図１９及び図２０を参照すると、特許文献１には、コネクタプラグ（図示せず）と嵌合可能なコネクタソケット９００が開示されている。特許文献１のコネクタソケット９００は、ハウジング９１０、絶縁本体９２０、絶縁本体９２０の上下方向における両側に配置された２つのカバー板（グランド部材）９３０、絶縁本体９２０内に嵌め込まれた端子支持片９４２、端子支持片９４２に支持された接触端子９４１及び仕切り板９５０を備えている。カバー板９３０には、位置決め爪９３１及びロック爪９３２が一体的に形成されている。絶縁本体９２０には、位置決め爪９３１及びロック爪９３２に対応する位置決め挿入溝９２１及びロック挿入溝９２２が設けられている。上側のカバー板９３０は絶縁本体９２０に対して下方向に圧入されており、下側のカバー板９３０は絶縁本体９２０に対して上方向に圧入されている。このとき、位置決め爪９３１は位置決め挿入溝９２１内に嵌入され、ロック爪９３２はロック挿入溝９２２の内に嵌入される。カバー板９３０は、コネクタソケット９００とコネクタプラグ（図示せず）とが嵌合した際に、コネクタプラグ（図示せず）のプラグハウジング（図示せず）に接続される。
【先行技術文献】
【特許文献】
【０００３】
【特許文献１】実用新案登録第３１９８６８６号公報
【発明の概要】
【発明が解決しようとする課題】
【０００４】
一般的に、シェル等を介してグランド部材と回路基板とを接続しようとする場合、グランド部材とシェル等との接続の確実性及びシェル等と回路基板との接続の確実性によって、電気的性能に差異が生じる可能性がある。
【０００５】
そこで本発明は、安定した電気的性能を得ることができ、且つ、低背化されたコネクタを提供することを目的とする。
【課題を解決するための手段】
【０００６】
本発明は、第１のコネクタとして、
回路基板上に搭載されると共に相手側コネクタと前後方向に沿って嵌合可能なコネクタであって、
前記コネクタは、グランド部材と、保持部材と、複数のコンタクトと、ミッドプレートとを備えており、
前記相手側コネクタは、複数の相手側コンタクトを有しており、
前記グランド部材は、前記前後方向と直交する上下方向において離間するよう配置された上側平板部及び下側平板部と、前記上側平板部と前記下側平板部とを連結する連結部と、前記回路基板に固定される被固定脚部と、前記被固定脚部と前記下側平板部とを接続する延長部とを有しており、
前記上側平板部及び前記下側平板部の夫々は、前記上下方向と交差する所定面内に延びており、
前記延長部は、前記下側平板部から前記所定面内に延びており、
前記被固定脚部は、前記延長部から前記上下方向において下方に延びており、
前記保持部材は、前記上下方向において前記上側平板部と前記下側平板部とに挟まれる保持部と、前記前後方向において前記保持部から前方に延びる嵌合部とを有しており、
前記嵌合部は、前記前後方向において前記上側平板部及び前記下側平板部よりも前方に位置しており、
前記複数のコンタクトは、２列のコンタクト列を構成しており、
前記コンタクト列の夫々を構成する前記コンタクトは、前記前後方向及び前記上下方向の双方と直交するピッチ方向に並んでおり、
前記コンタクトの夫々は、前記保持部に保持される被保持部と、前記嵌合部の上面又は下面において外部に露出している接触部とを有しており、
前記コンタクトの前記接触部は、前記コネクタが前記相手側コネクタと嵌合した状態において、前記相手側コネクタの前記相手側コンタクトと夫々接触するものであり、
前記ミッドプレートは、前記上下方向において前記コンタクト列の間に位置するように、前記保持部材に保持されている
コネクタを提供する。
【０００７】
また、本発明は、第２のコネクタとして、第１のコネクタであって、
前記延長部は、前記下側平板部から後方に延びている
コネクタを提供する。
【０００８】
また、本発明は、第３のコネクタとして、第１又は第２のコネクタであって、
前記連結部は、前記上側平板部の後端と前記下側平板部の後端とを連結している
コネクタを提供する。
【０００９】
また、本発明は、第４のコネクタとして、第３のコネクタであって
前記延長部は、前記連結部の一部である
コネクタを提供する。
【００１０】
また、本発明は、第５のコネクタとして、第１乃至第４のいずれかのコネクタであって、
前記グランド部材は、上側圧入部と下側圧入部とを更に有しており、
前記上側圧入部は、前記上側平板部から後方に延びており、
前記下側圧入部は、前記下側平板部から後方に延びており、
前記保持部材には、上側圧入溝及び下側圧入溝が形成されており、
前記上側圧入部は、前記上側圧入溝に受容されており、
前記下側圧入部は、前記下側圧入溝に受容されている
コネクタを提供する。
【００１１】
また、本発明は、第６のコネクタとして、第５のコネクタであって、
前記上側圧入部は、前記上側平板部から後方に延びる板状の上側主部と、上側係止突起と、上側隆起部とを有しており、
前記上側係止突起は、前記上側主部から前記ピッチ方向に突出しており、
前記上側隆起部は、前記上側主部から前記上下方向において上側に隆起しており、
前記下側圧入部は、前記下側平板部から後方に延びる板状の下側主部と、下側係止突起と、下側隆起部とを有しており、
前記下側係止突起は、前記下側主部から前記ピッチ方向に突出しており、
前記下側隆起部は、前記下側主部から前記上下方向において下側に隆起している
コネクタを提供する。
【００１２】
また、本発明は、第７のコネクタとして、第５又は第６のコネクタであって、
前記上側圧入部及び前記下側圧入部の夫々は、前記ピッチ方向において、前記コンタクト列の両端に配置される前記コンタクトよりも内側に配置されている
コネクタを提供する。
【００１３】
また、本発明は、第８のコネクタとして、第１乃至第７のいずれかのコネクタであって、
前記グランド部材は、補助圧入部を更に有しており、
前記補助圧入部は、前記前後方向において前記連結部から後方に延びており、
前記補助圧入部には、前記前後方向と直交する方向に突出した補助係止突起が設けられており、
前記保持部材には、補助圧入溝が形成されており、
前記補助圧入部は、前記補助圧入溝に受容されている
コネクタを提供する。
【００１４】
また、本発明は、第９のコネクタとして、第１乃至第８のいずれかのコネクタであって、
前記グランド部材は、一部品で構成されている
コネクタを提供する。
【００１５】
また、本発明は、第１０のコネクタとして、第１乃至第９のいずれかのコネクタであって、
前記グランド部材の前記連結部は、前記前後方向と直交する方向において前記保持部材の外周よりも内側に位置している
コネクタを提供する。
【００１６】
また、本発明は、第１のコネクタ組立体として、
第１乃至第１０のいずれかのコネクタと、回路基板とを備えたコネクタ組立体であって、
前記回路基板には、１つのスルーホールが形成されており、
前記ミッドプレートは、ミッドプレート用脚部を有しており、
前記ミッドプレート用脚部と前記被固定脚部とは、前記１つのスルーホールに固定されている
コネクタ組立体を提供する。
【発明の効果】
【００１７】
本発明のコネクタでは、グランド部材を直接回路基板に接続することができる。そのため、シェル等を介してグランド部材と回路基板とを接続しようとする場合と比較して、本発明のコネクタでは、コネクタ製造での接続工程における品質のバラつきにより電気的性能に差異が生じる可能性を減らすことができる。
【００１８】
また本発明のコネクタでは、延長部が下側平板部と同一面上に延びており、被固定脚部は延長部から延びている。これにより、被固定脚部の長さを長くする、即ち、被固定脚部の上下方向におけるサイズを大きくすることができる。そのため、本発明のコネクタを回路基板に固定する場合において、被固定脚部を回路基板に半田付けする際に、被固定脚部を這い上がった半田によりコンタクト等がショートしてしまうおそれを低減することができる。
【図面の簡単な説明】
【００１９】
【図１】本発明の実施の形態によるコネクタを示す上側斜視図である。
【図２】図１のコネクタを示す下側斜視図である。
【図３】図１のコネクタを示す上面図である。
【図４】図１のコネクタを示す下面図である。
【図５】図１のコネクタを示す正面図である。
【図６】図５のコネクタをＡ−Ａ線に沿って示す断面図である。
【図７】図５のコネクタをＢ−Ｂ線に沿って示す断面図である。
【図８】図１のコネクタに含まれるグランド部材を示す上側斜視図である。
【図９】図８のグランド部材を示す下側斜視図である。
【図１０】図８のグランド部材を示す下面図である。
【図１１】図１のコネクタを示す分解斜視図である。
【図１２】図１のコネクタを回路基板上に設置したコネクタ組立体を示す斜視図である。ここで、グランド部材の被固定脚部とミッドプレートのミッドプレート用脚部は１つのスルーホールに固定されている。
【図１３】図１２のコネクタ組立体を筐体に固定した状態を示す斜視図である。
【図１４】図１のコネクタにシェルを装着した状態を示す斜視図である。
【図１５】図１４のコネクタを示す正面図である
【図１６】図１５のコネクタをＣ−Ｃ線に沿って示す断面図である。
【図１７】図１５のコネクタをＤ−Ｄ線に沿って示す断面図である。
【図１８】図１のコネクタの変形例を示す上側斜視図である。
【図１９】特許文献１のコネクタソケットを示す断面図である。
【図２０】特許文献１のコネクタソケットを示す分解斜視図である。
【発明を実施するための形態】
【００２０】
図１乃至図５及び図１２に示されるように、本発明の実施の形態によるコネクタ１００は、回路基板７００上に搭載されると共に相手側コネクタ（図示せず）と前後方向に沿って嵌合可能である。相手側コネクタ（図示せず）は、複数の相手側コンタクト（図示せず）を有している。本実施の形態において、前後方向はＹ方向である。前方は−Ｙ方向であり、後方は＋Ｙ方向である。
【００２１】
図１乃至図４に示されるように、本実施の形態におけるコネクタ１００は、グランド部材２００と、保持部材３００と、複数の第１コンタクト（コンタクト）４００と、複数の第２コンタクト（コンタクト）４５０と、ミッドプレート５００と、補助的保持部材３８０とを備えている。グランド部材２００は金属製である。保持部材３００は絶縁体からなる。第１コンタクト４００は金属製である。第２コンタクト４５０は金属製である。ミッドプレート５００は金属製である。本実施の形態によるコネクタ１００はシェルを有さないものであり、コネクタ自体の低背化を実現できるものであり、シェルを有するコネクタと比較して組立が容易となっている。
【００２２】
図１乃至図４及び図１１に示されるように、保持部材３００は、保持部３１０と、嵌合部３２０と、中間部３６０と、支持部３７０と、２つの凸部３７２を有している。保持部３１０は、前後方向において嵌合部３２０と中間部３６０とを接続している。嵌合部３２０は、平板状の形状を有しており、前後方向において保持部３１０から前方に延びている。中間部３６０は、保持部３１０の後方に位置しており、前後方向において保持部３１０と支持部３７０とを接続している。支持部３７０は、中間部３６０の後方に位置している。凸部３７２は、前後方向と直交するピッチ方向において支持部３７０の両端付近に夫々位置している。本実施の形態において、ピッチ方向はＸ方向である。凸部３７２は、前後方向及びピッチ方向の双方と直交する上下方向において支持部３７０の下端に位置しており、下側に突出している。本実施の形態において、上下方向はＺ方向である。上側は＋Ｚ方向であり、下側は−Ｚ方向である。
【００２３】
図１乃至図４及び図１１に示されるように、保持部材３００には、２つの上側圧入溝３３０と、２つの下側圧入溝３４０と、２つの補助圧入溝３５０と、２つの外側部収容部３７４と、複数のコンタクト保持溝３２２とが形成されている。上側圧入溝３３０は保持部３１０の上側に位置しており、後方に向かって凹んでいる。上側圧入溝３３０は、ピッチ方向において対向する内壁と、上下方向において対向する内壁とを有している。下側圧入溝３４０は保持部３１０の下側に位置しており、後方に向かって凹んでいる。下側圧入溝３４０は、ピッチ方向において対向する内壁と、上下方向において対向する内壁とを有している。補助圧入溝３５０は、支持部３７０のピッチ方向における両側面近傍に位置しており、後方に向かって凹んでいる。補助圧入溝３５０は、ピッチ方向において対向する内壁と、上下方向において対向する内壁とを有している。外側部収容部３７４は、中間部３６０及び支持部３７０の上面の一部であって、ピッチ方向両端付近に位置している。コンタクト保持溝３２２は、前後方向に延びる溝であって、嵌合部３２０の上面及び下面に複数形成されている。
【００２４】
図１乃至図４及び図１１に示されるように、複数の第１コンタクト（コンタクト）４００は、１列の第１コンタクト列（コンタクト列）を構成しており、複数の第２コンタクト（コンタクト）４５０は、１列の第２コンタクト列（コンタクト列）を構成している。第１コンタクト列は、上下方向において第２コンタクト列よりも上側に位置している。第１コンタクト列の夫々を構成する第１コンタクト４００は、ピッチ方向に並んでいる。第２コンタクト列の夫々を構成する第２コンタクト４５０は、ピッチ方向に並んでいる。
【００２５】
図６及び図１１から理解されるように、第１コンタクト４００の夫々は、保持部３１０に保持される第１被保持部４０４（被保持部）と、嵌合部３２０の上面において外部に露出している第１接触部４０２（接触部）と、回路基板７００上に半田付けされる第１被固定部４０６とを有している。第１被保持部４０４は、第１被固定部４０６の上端から前方に延びている。第１被保持部４０４は、ピッチ方向両端に第１コンタクト圧入部４０８を有している。第１コンタクト圧入部４０８は、ピッチ方向両側に突出している。第１接触部４０２は、第１被保持部４０４の前端から、前方に延びている。第１接触部４０２は、保持部材３００の嵌合部３２０の上面に形成されているコンタクト保持溝３２２に保持されている。第１コンタクト４００の第１接触部４０２は、コネクタ１００が相手側コネクタ（図示せず）と嵌合した状態において、相手側コネクタ（図示せず）の相手側コンタクト（図示せず）と夫々接触するものである。第１被固定部４０６は、Ｌ字状の形状を有しており、第１被保持部４０４の後端から下側に延びた後、後方に延びている。図６及び図１１から理解されるように、補助的保持部材３８０は、第１コンタクト４００の第１被保持部４０４の後端付近及び第１被固定部４０６の上側に延びる部分を保持している。
【００２６】
図１及び図１１から理解されるように、第１コンタクト４００は保持部材３００に対して圧入されることにより、保持部材３００に取り付けられる。具体的には、まず第１コンタクト４００を補助的保持部材３８０に取り付け、次に、この補助的保持部材３８０に取り付けられた第１コンタクト４００の第１接触部４０２の前端を、保持部材３００の後端に対して前方に押し込み、第１コンタクト４００の第１コンタクト圧入部４０８を保持部材３００に食い込ませる。これにより、第１コンタクト４００は保持部材３００に保持される。
【００２７】
図６及び図１１から理解されるように、第２コンタクト４５０の夫々は、保持部３１０に保持される第２被保持部４５４（被保持部）と、嵌合部３２０の下面において外部に露出している第２接触部４５２（接触部）と、回路基板７００上に半田付けされる第２被固定部４５６とを有している。第２被保持部４５４は、第２被固定部４５６の上端から前方側に延びている。第２被保持部４５４は、ピッチ方向両端に第２コンタクト圧入部４５８を有している。第２コンタクト圧入部４５８は、ピッチ方向両側に突出している。第２接触部４５２は、第２被保持部４５４の前端から、前方に延びている。第２接触部４５２は、保持部材３００の嵌合部３２０の下面に形成されているコンタクト保持溝３２２に保持されている。第２コンタクト４５０の第２接触部４５２は、コネクタ１００が相手側コネクタ（図示せず）と嵌合した状態において、相手側コネクタ（図示せず）の相手側コンタクト（図示せず）と夫々接触するものである。第２被固定部４５６は、Ｌ字状の形状を有しており、第２被保持部４５４の後端から下側に延びた後、後方に延びている。
【００２８】
図２及び図１１から理解されるように、第２コンタクト４５０は保持部材３００に対して圧入されることにより、保持部材３００に取り付けられる。具体的には、第２コンタクト４５０の第２接触部４５２の前端を、保持部材３００の後端に対して前方に押し込むことにより、第２コンタクト４５０の第２コンタクト圧入部４５８を保持部材３００に食い込ませる。これにより、第２コンタクト４５０は保持部材３００に保持される。
【００２９】
図８乃至図１０に示されるように、グランド部材２００は、一部品で構成されている。具体的には、グランド部材２００は、上側平板部２１０と、下側平板部２２０と、２つの連結部２３０と、２つの被固定脚部２４０と、２つの上側圧入部２６０と、２つの下側圧入部２７０と、２つの補助圧入部２８０とを有している。
【００３０】
図１、図２及び図８乃至図１０から理解されるように、上側平板部２１０は、上下方向と交差する所定面内に延びている。より具体的には、上側平板部２１０は、上下方向と直交する面内に延びている。上側平板部２１０は、後端であってピッチ方向両端付近において連結部２３０と連結されている。下側平板部２２０は、上下方向と交差する所定面内に延びている。より具体的には、下側平板部２２０は、上下方向と直交する面内に延びている。下側平板部２２０は、後端であってピッチ方向両端付近において連結部２３０と連結されている。即ち、上側平板部２１０と下側平板部２２０とは連結部２３０により連結されている。上側平板部２１０及び下側平板部２２０は、上下方向において離間するよう配置されている。保持部３１０は、上下方向において上側平板部２１０と下側平板部２２０とに挟まれている。嵌合部３２０は、前後方向において上側平板部２１０及び下側平板部２２０よりも前方に位置している。
【００３１】
図１、図２、図５及び図８乃至図１０から理解されるように、連結部２３０の夫々は、連結垂直部２３２と、外側部２８５と、接続部２９０と、延長部２５０とを有している。即ち、延長部２５０は、連結部２３０の一部である。連結垂直部２３２は、下側平板部２２０の後端であってピッチ方向両端から上下方向において上側に延びている。外側部２８５は、連結垂直部２３２の上端と連結されており、上下方向と直交する面内に延びている。接続部２９０は、外側部２８５の前端であってピッチ方向内端から下方に延びており、上側平板部２１０の後端であってピッチ方向両端と接続されている。即ち、連結部２３０の夫々は、上側平板部２１０の後端と下側平板部２２０の後端とを連結している。延長部２５０は、下側平板部２２０から後方に延びている。即ち、延長部２５０は、下側平板部２２０の後端であってピッチ方向両端から後方に延びている。延長部２５０は、下側平板部２２０から上下方向と交差する所定面内に延びている。より具体的には、延長部２５０の夫々は、下側平板部２２０から上下方向と直交する面内に、即ちＸＹ平面内に延びている。更に具体的には、延長部２５０の夫々は、下側平板部２２０からＹ方向に延びるとともに、連結垂直部２３２に向かって延びている。図２及び図９に示されるように、延長部２５０は、被固定脚部２４０と下側平板部２２０とを接続している。
【００３２】
図１乃至図５に示されるように、本実施の形態の連結部２３０は、前後方向と直交する方向において保持部材３００の外周よりも内側に位置している。より具体的には、本実施の形態の連結部２３０は、前後方向と直交する方向において保持部材３００の支持部３７０の外周よりも内側に位置している。そのため、コネクタ１００に含まれる部材以外の部材とグランド部材２００とが意図せずに接触してしまう可能性を低く抑えることができる。
【００３３】
図２及び図１２に示されるように、被固定脚部２４０の夫々は、回路基板７００に固定されるものである。本実施の形態における被固定脚部２４０は、延長部２５０から上下方向において下側に延びている。被固定脚部２４０は、コネクタ１００のピッチ方向両端付近に位置している。
【００３４】
図８に示されるように、上側圧入部２６０の夫々は、板状の上側主部２６１と、上側係止突起２６２と、上側隆起部２６４とを有している。上側圧入部２６０の夫々は、前後方向において上側平板部２１０から後方に延びている。より具体的には、上側圧入部２６０の上側主部２６１は、前後方向において上側平板部２１０の後端から後方に延びている。上側係止突起２６２は、上側主部２６１からピッチ方向に突出している。より具体的には、上側係止突起２６２は、上側主部２６１のピッチ方向両端に位置しており、ピッチ方向外側に突出している。上側隆起部２６４は、上側主部２６１から上下方向において上側に隆起している。
【００３５】
図９に示されるように、下側圧入部２７０の夫々は、板状の下側主部２７１と、下側係止突起２７２と、下側隆起部２７４とを有している。下側圧入部２７０の夫々は、前後方向において下側平板部２２０から後方に延びている。より具体的には、下側圧入部２７０の下側主部２７１は、前後方向において下側平板部２２０の後端から後方に延びている。下側係止突起２７２は、下側主部２７１からピッチ方向に突出している。より具体的には、下側係止突起２７２は、下側主部２７１のピッチ方向両端に位置しており、ピッチ方向外側に突出している。下側隆起部２７４は、下側主部２７１から上下方向において下側に隆起している。
【００３６】
補助圧入部２８０は、前後方向において連結部２３０から後方に延びている。より具体的には、補助圧入部２８０は、前後方向において連結部２３０の連結垂直部２３２の後端から後方に延びている。補助圧入部２８０の夫々には、前後方向と直交する方向に突出した補助係止突起２８２が設けられている。より具体的には、補助係止突起２８２は、補助圧入部２８０の上下方向両端に位置しており、上下方向における外側に突出している。
【００３７】
図１乃至図４及び図１１を参照すると、グランド部材２００は保持部材３００に対して圧入されることにより、保持部材３００に取り付けられる。具体的には、グランド部材２００を保持部材３００の前方から後方に向けて挿入し、グランド部材２００の上側圧入部２６０、下側圧入部２７０及び補助圧入部２８０を、夫々保持部材３００の上側圧入溝３３０、下側圧入溝３４０及び補助圧入溝３５０に対して押し込む。これにより、上側圧入部２６０の上側係止突起２６２、下側圧入部２７０の下側係止突起２７２及び補助圧入部２８０の補助係止突起２８２は、上側圧入溝３３０、下側圧入溝３４０及び補助圧入溝３５０に対して夫々食い込むこととなり、グランド部材２００は保持部材３００に保持される。
【００３８】
詳しくは、図１、図２及び図１１から理解されるように、２つの上側圧入部２６０と２つの上側圧入溝３３０とは夫々対応しており、上側圧入部２６０は対応する上側圧入溝３３０に受容されている。また、２つの下側圧入部２７０と２つの下側圧入溝３４０とは夫々対応しており、下側圧入部２７０は対応する下側圧入溝３４０に受容されている。さらに、２つの補助圧入部２８０と２つの補助圧入溝３５０とは夫々対応しており、補助圧入部２８０は対応する補助圧入溝３５０に受容されている。
【００３９】
このとき、上側係止突起２６２は、上側圧入溝３３０のピッチ方向における内面に食い込んでおり、上側隆起部２６４は、上側圧入溝３３０の上側の内壁に押圧接触している。これにより上側主部２６１は上側圧入溝３３０の下側の内壁に押し付けられており、上側平板部２１０は保持部３１０の上面に押し付けられている。また、このとき、下側係止突起２７２は、下側圧入溝３４０のピッチ方向における内壁に食い込んでおり、下側隆起部２７４は、下側圧入溝３４０の下側の内壁に押圧接触している。これにより下側主部２７１は下側圧入溝３４０の上側の内壁に押し付けられており、下側平板部２２０は保持部３１０の下面に押し付けられている。これにより、コネクタ１００が相手側コネクタ（図示せず）と挿抜を繰り返したとしても、グランド部材２００が保持部材３００から浮き上がったり、前方に引き抜かれて外れてしまったりする可能性が避けられる。
【００４０】
更に、このとき、補助係止突起２８２は、補助圧入溝３５０の上下方向における内面に食い込んでいる。これにより、補助圧入部２８０は補助圧入溝３５０に強固に保持されるため、グランド部材２００の保持部材３００への取り付けがより強固なものとなっている。
【００４１】
上述のように、グランド部材２００は一部品であり、保持部材３００に対して前方から圧入することにより保持部材３００に取り付けられることから、グランド部材が複数の部品で構成されている場合と比較してグランド部材２００の取付工程が簡略化され、またグランド部材を保持部材の上下方向に沿って取り付ける場合と比較して相手側コネクタ（図示せず）を挿抜した際にグランド部材２００が保持部材３００から浮き上がったり外れてしまったりする可能性が避けられる。
【００４２】
図１、図３及び図８より理解されるように、上側圧入部２６０の夫々は、ピッチ方向において、第１コンタクト列の両端に配置される第１コンタクト４００よりも内側に配置されている。より具体的には、上側圧入部２６０の夫々は、ピッチ方向において、第１コンタクト列の両端に配置される第１コンタクト４００の第１被保持部４０４よりも内側に配置されている。
【００４３】
図２、図４及び図９より理解されるように、下側圧入部２７０の夫々は、ピッチ方向において、第２コンタクト列の両端に配置される第２コンタクト４５０よりも内側に配置されている。より具体的には、下側圧入部２７０の夫々は、ピッチ方向において、第２コンタクト列の両端に配置される第２コンタクト４５０の第２被保持部４５４よりも内側に配置されている。
【００４４】
図２、図５及び図６に示されるように、ミッドプレート５００は、上下方向において第１コンタクト列及び第２コンタクト列の間に位置するように、保持部材３００に保持されている。具体的には、ミッドプレート５００はインサートモールドにより保持部材３００に組み込まれている。ミッドプレート５００は、回路基板７００に接続されるミッドプレート用脚部５１０を２つ有している。ミッドプレート用脚部５１０は、コネクタ１００のピッチ方向両端付近に位置しており、グランド部材２００の被固定脚部２４０とペアを構成している。換言すれば、被固定脚部２４０とミッドプレート用脚部５１０とは、２つのペアを構成している。
【００４５】
図２及び図１２より理解されるように、本発明の実施の形態のコネクタ組立体１０は、コネクタ１００と、回路基板７００とを備えている。回路基板７００には、２つのスルーホール７１０と、２つの孔７２０とが形成されている。一組のミッドプレート５００のミッドプレート用脚部５１０とグランド部材２００の被固定脚部２４０とは、回路基板７００の１つのスルーホール７１０に纏めて固定されている。これにより、グランドの強化を図ることができると共にミッドプレート用脚部５１０と被固定脚部２４０とを同時に回路基板７００に固定することができ、製造工程の簡略化が図られる。
【００４６】
本実施の形態のコネクタ組立体１０においては、第１コンタクト４００の第１被固定部４０６及び第２コンタクト４５０の第２被固定部４５６は、回路基板７００上に半田付けにより固定されている。また、保持部材３００の凸部３７２は、回路基板７００の孔７２０に夫々挿入されており、これにより保持部材３００は回路基板７００に固定されている。
【００４７】
図１３に示されるように、コネクタ組立体１０は、筐体８００に取り付けられる。ここで筐体８００は開口部７３０を有しており、この開口部７３０を介して、コネクタ１００は相手側コネクタ（図示せず）と嵌合可能となっている。
【００４８】
以上、本発明について実施の形態を掲げて具体的に説明してきたが本発明は、これに限定されるものではない。
【００４９】
上述した実施の形態のコネクタ１００はシェルを有さないものであったが、図１４乃至図１７に示されるように、コネクタ１００はシェル開口部８５５を有すると共に前後方向と直交する面内において嵌合部３２０等を覆うシェル８５０を更に備えていてもよい。このシェル８５０を備えたコネクタ１００においても、グランド部材２００の被固定脚部２４０及びミッドプレート５００のミッドプレート用脚部５１０は、直接回路基板７００に接続されることとなる。これにより、本実施の形態のコネクタ１００と同様に、シェル８５０を有するコネクタ１００においても、コネクタ製造での接続工程における品質のバラつきにより電気的性能に差異が生じる可能性を減らすことができる。
【００５０】
上述した実施の形態のコネクタ１００のグランド部材２００は、上側平板部２１０のピッチ方向両端と下側平板部２２０のピッチ方向両端とは連結されていないものであったが、図１８に示されるように、変形例によるコネクタ１００Ａは、上述した実施の形態のグランド部材２００に代えて、上側平板部２１０のピッチ方向両端と下側平板部２２０のピッチ方向両端とが平板部連結部２９５によって連結されたグランド部材２００Ａが保持部材３００に取り付けられている。ここでグランド部材２００Ａは、平板部連結部２９５を有する以外はグランド部材２００と同じ構造を有しているため、グランド部材２００と同じ構成要素については図面内において同一の符号を付すこととする。
【００５１】
グランド部材２００Ａを有する変形例のコネクタ１００Ａにおいては、上側平板部２１０と下側平板部２２０との連結が強化されている。従って、コネクタ１００Ａと相手側コネクタ（図示せず）との挿抜の際において、グランド部材２００Ａが保持部材３００から浮き上がることを、より防止することができる。
【符号の説明】
【００５２】
１０        コネクタ組立体
１００，１００Ａ    コネクタ
２００，２００Ａ    グランド部材
２１０        上側平板部
２２０        下側平板部
２３０        連結部
２３２        連結垂直部
２４０        被固定脚部
２５０        延長部
２６０        上側圧入部
２６１        上側主部
２６２        上側係止突起
２６４        上側隆起部
２７０        下側圧入部
２７１        下側主部
２７２        下側係止突起
２７４        下側隆起部
２８０        補助圧入部
２８２        補助係止突起
２８５        外側部
２９０        接続部
２９５        平板部連結部
３００        保持部材
３１０        保持部
３２０        嵌合部
３２２        コンタクト保持溝
３３０        上側圧入溝
３４０        下側圧入溝
３５０        補助圧入溝
３６０        中間部
３７０        支持部
３７２        凸部
３７４        外側部収容部
３８０        補助的保持部材  
４００        第１コンタクト（コンタクト）
４０２        第１接触部（接触部）
４０４        第１被保持部（被保持部）
４０６        第１被固定部
４０８        第１コンタクト圧入部
４５０        第２コンタクト（コンタクト）
４５２        第２接触部（接触部）
４５４        第２被保持部（被保持部）
４５６        第２被固定部
４５８        第２コンタクト圧入部
５００        ミッドプレート
５１０        ミッドプレート用脚部
７００        回路基板
７１０        スルーホール
７２０        孔
７３０        開口部
８００        筐体
８５０        シェル
８５５        シェル開口部
【図１】
2017091774.tif 000003
【図２】
2017091774.tif 000004
【図３】
2017091774.tif 000005
【図４】
2017091774.tif 000006
【図５】
2017091774.tif 000007
【図６】
2017091774.tif 000008
【図７】
2017091774.tif 000009
【図８】
2017091774.tif 000010
【図９】
2017091774.tif 000011
【図１０】
2017091774.tif 000012
【図１１】
2017091774.tif 000013
【図１２】
2017091774.tif 000014
【図１３】
2017091774.tif 000015
【図１４】
2017091774.tif 000016
【図１５】
2017091774.tif 000017
【図１６】
2017091774.tif 000018
【図１７】
2017091774.tif 000019
【図１８】
2017091774.tif 000020
【図１９】
2017091774.tif 000021
【図２０】
2017091774.tif 000022
【手続補正書】
【提出日】平成28年10月13日(2016.10.13)
【手続補正１】
【補正対象書類名】明細書
【補正対象項目名】００３９
【補正方法】変更
【補正の内容】
【００３９】
このとき、上側係止突起２６２は、上側圧入溝３３０のピッチ方向における内壁に食い込んでおり、上側隆起部２６４は、上側圧入溝３３０の上側の内壁に押圧接触している。これにより上側主部２６１は上側圧入溝３３０の下側の内壁に押し付けられており、上側平板部２１０は保持部３１０の上面に押し付けられている。また、このとき、下側係止突起２７２は、下側圧入溝３４０のピッチ方向における内壁に食い込んでおり、下側隆起部２７４は、下側圧入溝３４０の下側の内壁に押圧接触している。これにより下側主部２７１は下側圧入溝３４０の上側の内壁に押し付けられており、下側平板部２２０は保持部３１０の下面に押し付けられている。これにより、コネクタ１００が相手側コネクタ（図示せず）と挿抜を繰り返したとしても、グランド部材２００が保持部材３００から浮き上がったり、前方に引き抜かれて外れてしまったりする可能性が避けられる。
【手続補正２】
【補正対象書類名】明細書
【補正対象項目名】００４０
【補正方法】変更
【補正の内容】
【００４０】
更に、このとき、補助係止突起２８２は、補助圧入溝３５０の上下方向における内壁に食い込んでいる。これにより、補助圧入部２８０は補助圧入溝３５０に強固に保持されるため、グランド部材２００の保持部材３００への取り付けがより強固なものとなっている。